(57)【要約】【課題】一連の撮影処理に要する時間を従来よりも短縮することが出来るカメラを提供する。【解決手段】本発明に係るカメラは、ＣＣＤ１０と、ユーザによる撮影操作に応じてＣＣＤ１０から取得した本画像撮影信号に対し、遮光状態でＣＣＤ１０から取得した黒画像撮影信号を用いた補正処理を施す画像処理回路とを具えている。該画像処理回路は、本画像撮影信号を取得したとき、過去に黒画像撮影信号を取得した時点からの経過時間に基づいて、黒画像取得動作を実行する必要があるか否かを判断する。そして、該画像処理回路は、黒画像取得動作を実行する必要があると判断した場合に、黒画像取得動作を実行して、取得した新たな黒画像撮影信号を用いて前記補正処理を実行する一方、黒画像取得動作を実行する必要がないと判断した場合には、過去に取得した黒画像撮影信号を用いて前記補正処理を実行する。【選択図】      図１
2005020593.tif 000002
【特許請求の範囲】
【請求項１】
撮像装置と、ユーザによる撮影操作に応じて撮像装置から取得した本画像撮影信号に対し、遮光状態で撮像装置から取得した黒画像撮影信号を用いた補正処理を施す画像処理回路とを具えたカメラにおいて、該画像処理回路は、本画像撮影信号を取得したとき、過去に黒画像撮影信号を取得した時点からの経過時間に基づいて、黒画像取得動作を実行する必要があるか否かを判断し、黒画像取得動作を実行する必要があると判断した場合に、黒画像取得動作を実行して、取得した新たな黒画像撮影信号を用いて前記補正処理を実行する一方、黒画像取得動作を実行する必要がないと判断した場合には、過去に取得した黒画像撮影信号を用いて前記補正処理を実行することを特徴とするカメラ。
【請求項２】
前記画像処理回路は、
黒画像撮影信号を格納するための格納手段と、
外部からの指令を受けて、遮光状態で撮像装置から黒画像撮影信号を取得して前記格納手段に格納する黒画像取得動作を実行する黒画像処理手段と、
黒画像取得動作が実行されたとき、その時点からの経過時間を計測する動作を実行する計時手段と、
ユーザによる撮影操作に応じて、撮像装置から本画像撮影信号を取得する撮影画像取得手段と、
本画像撮影信号が取得されたとき、前記計時手段により計測された経過時間が所定時間未満であるか否かによって前記判断を行ない、黒画像取得動作を実行する必要があると判断した場合に限って、前記黒画像処理手段に対し黒画像取得動作を指令する制御手段と、
前記撮影画像取得手段によって取得された本画像撮影信号に対して、前記格納手段に格納されている黒画像撮影信号を用いた補正処理を施す補正処理手段
とを具えている請求項１に記載のカメラ。
【請求項３】
前記画像処理回路の格納手段には、撮像装置のシャッター速度を格納することが可能であって、該画像処理回路は更に、黒画像取得動作が実行されたとき、撮像装置のシャッター速度を前記格納手段に格納するシャッター速度情報処理手段を具え、前記制御手段は、本画像撮影信号が取得されたとき、そのときの撮像装置のシャッター速度が前記格納手段に格納されているシャッター速度を含む所定の範囲内であるか否かによって前記判断を行なう請求項２に記載のカメラ。
【請求項４】
撮像装置と、ユーザによる撮影操作に応じて撮像装置から取得した本画像撮影信号に対し、遮光状態で撮像装置から取得した黒画像撮影信号を用いた補正処理を施す画像処理回路とを具えたカメラにおいて、該画像処理回路は、本画像撮影信号を取得したとき、そのときの撮像装置の近傍温度と過去に黒画像撮影信号を取得したときの撮像装置の近傍温度とに基づいて、黒画像取得動作を実行する必要があるか否かを判断し、黒画像取得動作を実行する必要があると判断した場合に、黒画像取得動作を実行して、取得した新たな黒画像撮影信号を用いて前記補正処理を実行する一方、黒画像取得動作を実行する必要がないと判断した場合には、過去に取得した黒画像撮影信号を用いて前記補正処理を実行することを特徴とするカメラ。
【請求項５】
前記画像処理回路は、
撮像装置の近傍温度を測定する温度測定手段と、
黒画像撮影信号及び温度を格納するための格納手段と、
外部からの指令を受けて、遮光状態で撮像装置から黒画像撮影信号を取得して前記格納手段に格納する黒画像取得動作を実行する黒画像処理手段と、
黒画像取得動作が実行されたとき、温度測定手段から測定温度を取得し、該温度を前記格納手段に格納する温度情報処理手段と、
ユーザによる撮影操作に応じて、撮像装置から本画像撮影信号を取得する撮影画像取得手段と、
本画像撮影信号が取得されたとき、前記温度測定手段から測定温度を取得した後、該温度が前記格納手段に格納されている温度を含む所定の範囲内であるか否かによって前記判断を行ない、黒画像取得動作を実行する必要があると判断した場合に限って、前記黒画像処理手段に対し黒画像取得動作を指令する制御手段と、
前記撮影画像取得手段によって取得された本画像撮影信号に対して、前記格納手段に格納されている黒画像撮影信号を用いた補正処理を施す補正処理手段
とを具えている請求項４に記載のカメラ。
【請求項６】
前記画像処理回路の格納手段には、撮像装置のシャッター速度を格納することが可能であって、該画像処理回路は更に、黒画像取得動作が実行されたとき、撮像装置のシャッター速度を前記格納手段に格納するシャッター速度情報処理手段を具え、前記制御手段は、本画像撮影信号が取得されたとき、そのときの撮像装置のシャッター速度が前記格納手段に格納されているシャッター速度を含む所定の範囲内であるか否かによって前記判断を行なう請求項５に記載のカメラ。
【発明の詳細な説明】
【０００１】
【発明の属する技術分野】
本発明は、撮像装置から取得した本画像撮影信号に対して、遮光状態で撮像装置から取得した黒画像撮影信号を用いた補正処理を施す画像処理回路を具えたカメラに関するものである。
【０００２】
【従来の技術】
デジタルカメラは、ＣＣＤ（固体撮像素子）によって撮影された画像をデジタルデータとして記録媒体に記録するものであって、ユーザがシャッターボタンを押下すると、ＣＣＤから得られる撮影信号が、デジタルの撮影データに変換された後、周知の圧縮方式により圧縮されてＩＣカード等の記録媒体に記録される。
ところで、ＣＣＤから得られる撮影信号には、ＣＣＤの駆動時にＣＣＤの周囲にて発生する高速パルスやＣＣＤの構造に起因して発生するノイズ信号（以下、固定パターンノイズ信号という）が含まれている。仮に、ＣＣＤから得られる撮影信号を補正することなく記録媒体に記録した場合、前記固定パターンノイズ信号が白点や白線となって記録媒体に記録された画像に現れることになる。
そこで、従来のデジタルカメラにおいては、ＣＣＤから得られる撮影信号に後述の補正処理を施すこととしている（例えば、特許文献１参照）。
【０００３】
即ち、ユーザがシャッターボタンを押下すると、先ず、ＣＣＤから本画像撮影信号が取得される。その後、機械式シャッターが閉じられ、その状態でＣＣＤから撮影信号が取得される。このとき、固定パターンノイズ信号の周波数成分やレベルはＣＣＤのシャッター速度によって異なるため、シャッター速度は、本画像撮影信号の取得時と同じ速度に設定される。この様にして、本画像撮影信号に含まれる固定パターンノイズ信号と周波数成分やレベルが略等しい黒画像撮影信号が得られることになる。
その後、本画像撮影信号から黒画像撮影信号を減算する補正処理が実行され、補正後の本画像撮影信号が記録媒体に記録される。
従来のデジタルカメラにおいては、上述の如くＣＣＤから得られる本画像撮影信号に対し黒画像撮影信号を用いた補正処理を施すことによって、記録画像における白点や白線の発生が防止されている。
【０００４】
【特許文献１】
特開平６−１９７２８５号公報［Ｈ０４Ｎ  ５／３３５］
【０００５】
【発明が解決しようとする課題】
しかしながら、従来のデジタルカメラにおいては、ＣＣＤから本画像撮影信号が取得される度に黒画像撮影信号を取得する処理が行なわれるため、ユーザがシャッターボタンを押下してから撮影データが記録媒体に記録されるまでの一連の撮影処理に常に長い時間がかかる問題があった。
本発明の目的は、一連の撮影処理に要する時間を従来よりも短縮することが出来るカメラを提供することである。
【０００６】
【課題を解決する為の手段】
本発明に係る第１のカメラは、撮像装置と、ユーザによる撮影操作に応じて撮像装置から取得した本画像撮影信号に対し、遮光状態で撮像装置から取得した黒画像撮影信号を用いた補正処理を施す画像処理回路とを具えている。そして、該画像処理回路は、本画像撮影信号を取得したとき、過去に黒画像撮影信号を取得した時点からの経過時間に基づいて、黒画像取得動作を実行する必要があるか否かを判断し、黒画像取得動作を実行する必要があると判断した場合に、黒画像取得動作を実行して、取得した新たな黒画像撮影信号を用いて前記補正処理を実行する一方、黒画像取得動作を実行する必要がないと判断した場合には、過去に取得した黒画像撮影信号を用いて前記補正処理を実行する。
【０００７】
撮像装置から本画像撮影信号が取得されたとき、過去に黒画像撮影信号が取得された時点からの経過時間が例えば５分未満と短い場合には、撮像装置近傍の温度変化は小さいため、前記本画像撮影信号に含まれる固定パターンノイズ信号の周波数成分やレベルは、過去に取得された黒画像撮影信号と略同じである。
そこで、上記本発明に係る第１のカメラにおいては、ユーザによる撮影操作に応じて撮像装置から本画像撮影信号が取得されたとき、過去に黒画像撮影信号を取得した時点からの経過時間に基づいて、黒画像取得動作を実行する必要があるか否かが判断される。ここで、過去に黒画像取得動作が実行された時点からの経過時間が例えば５分以上と長い場合には、黒画像取得動作を実行する必要があると判断され、黒画像取得動作が実行されて、前記本画像撮影信号に含まれる固定パターンノイズ信号と周波数成分やレベルが略等しい新たな黒画像撮影信号が取得される。その後、前記本画像撮影信号に対して新たな黒画像撮影信号を用いた補正処理が施される。この様にして、本画像撮影信号から固定パターンノイズ信号が除去されることになる。
【０００８】
これに対し、過去に黒画像取得動作が実行されてからの経過時間が短い場合には、黒画像取得動作を実行する必要はないと判断されて黒画像取得動作が省略され、前記本画像撮影信号に対して、過去に取得された黒画像撮影信号を用いた補正処理が施される。ここで、本画像撮影信号に含まれる固定パターンノイズ信号の周波数成分やレベルは、上述の如く、過去に取得された黒画像撮影信号と略同じである。従って、本画像撮影信号に対し過去に取得された黒画像撮影信号を用いた補正処理を施すことによって、本画像撮影信号から固定パターンノイズ信号を除去することが出来る。
本発明に係る第１のカメラにおいては、過去に黒画像取得動作が実行されてからの経過時間が短い場合には、黒画像取得動作を省略することによって、一連の撮影処理に要する時間を従来よりも短縮することが出来る。
【０００９】
具体的には、前記画像処理回路は、
黒画像撮影信号を格納するための格納手段と、
外部からの指令を受けて、遮光状態で撮像装置から黒画像撮影信号を取得して前記格納手段に格納する黒画像取得動作を実行する黒画像処理手段と、
黒画像取得動作が実行されたとき、その時点からの経過時間を計測する動作を実行する計時手段と、
ユーザによる撮影操作に応じて、撮像装置から本画像撮影信号を取得する撮影画像取得手段と、
本画像撮影信号が取得されたとき、前記計時手段により計測された経過時間が所定時間未満であるか否かによって前記判断を行ない、黒画像取得動作を実行する必要があると判断した場合に限って、前記黒画像処理手段に対し黒画像取得動作を指令する制御手段と、
前記撮影画像取得手段によって取得された本画像撮影信号に対して、前記格納手段に格納されている黒画像撮影信号を用いた補正処理を施す補正処理手段
とを具えている。
【００１０】
上記具体的構成においては、黒画像取得動作が実行されたとき、計時手段によって、その時点からの経過時間の計測が開始される。
ユーザにより撮影操作が行なわれると、先ず、撮影画像取得手段によって撮像装置から本画像撮影信号が取得され、続いて制御手段によって、計測された経過時間が所定時間未満であるか否かにより黒画像取得動作を実行する必要があるか否かが判断される。ここで、黒画像取得動作を実行する必要があると判断された場合には、黒画像処理手段に対し動作が指令されて黒画像取得動作が実行され、新たな黒画像撮影信号が格納手段に格納されることになる。その後、補正処理手段によって、前記本画像撮影信号に対し前記新たな黒画像撮影信号を用いた補正処理が施される。
これに対し、黒画像取得動作を実行する必要がないと判断された場合には、黒画像処理手段に対し動作は指令されず、補正処理手段によって、前記本画像撮影信号に対し格納手段に格納されている黒画像撮影信号、即ち過去の黒画像取得動作によって取得された黒画像撮影信号を用いた補正処理が施される。
【００１１】
又、具体的には、前記画像処理回路の格納手段には、撮像装置のシャッター速度を格納することが可能であって、該画像処理回路は更に、黒画像取得動作が実行されたとき、撮像装置のシャッター速度を前記格納手段に格納するシャッター速度情報処理手段を具え、前記制御手段は、本画像撮影信号が取得されたとき、そのときの撮像装置のシャッター速度が前記格納手段に格納されているシャッター速度を含む所定の範囲内であるか否かによって前記判断を行なう。
【００１２】
固定パターンノイズ信号の周波数成分やレベルは、撮像装置のシャッター速度によって異なる。
そこで、上記具体的構成においては、黒画像取得動作が実行されたとき、そのときのシャッター速度が格納手段に格納される。そして、ユーザによる撮影操作に応じて本画像撮影信号が取得されたとき、そのときの撮像装置のシャッター速度が、格納手段に格納されているシャッター速度を含む所定の範囲内であるか否かによって、黒画像取得動作を実行する必要があるか否かが判断される。
【００１３】
本発明に係る第２のカメラは、撮像装置と、ユーザによる撮影操作に応じて撮像装置から取得した本画像撮影信号に対し、遮光状態で撮像装置から取得した黒画像撮影信号を用いた補正処理を施す画像処理回路とを具えている。そして、該画像処理回路は、本画像撮影信号を取得したとき、そのときの撮像装置の近傍温度と過去に黒画像撮影信号を取得したときの撮像装置の近傍温度とに基づいて、黒画像取得動作を実行する必要があるか否かを判断し、黒画像取得動作を実行する必要があると判断した場合に、黒画像取得動作を実行して、取得した新たな黒画像撮影信号を用いて前記補正処理を実行する一方、黒画像取得動作を実行する必要がないと判断した場合には、過去に取得した黒画像撮影信号を用いて前記補正処理を実行する。
【００１４】
撮像装置から本画像撮影信号が取得されたとき、過去に黒画像撮影信号が取得されたときからの撮像装置近傍の温度変化が例えば３度未満と小さい場合には、前記本画像撮影信号に含まれる固定パターンノイズ信号の周波数成分やレベルは、過去に取得された黒画像撮影信号と略同じである。
そこで、上記本発明に係る第２のカメラにおいては、ユーザによる撮影操作に応じて撮像装置から本画像撮影信号が取得されたとき、そのときの撮像装置の近傍温度と過去に黒画像撮影信号が取得されたときの撮像装置の近傍温度とに基づいて、黒画像取得動作を実行する必要があるか否かが判断される。ここで、過去に黒画像取得動作が実行されたときからの撮像装置近傍の温度変化が例えば３度以上と大きい場合には、黒画像取得動作を実行する必要があると判断され、黒画像取得動作が実行されて、前記本画像撮影信号に含まれる固定パターンノイズ信号と周波数成分やレベルが略等しい新たな黒画像撮影信号が取得される。その後、前記本画像撮影信号に対して新たな黒画像撮影信号を用いた補正処理が施される。この様にして、本画像撮影信号から固定パターンノイズ信号が除去されることになる。
【００１５】
これに対し、撮像装置近傍の温度変化が小さい場合には、黒画像取得動作を実行する必要はないと判断されて黒画像取得動作が省略され、前記本画像撮影信号に対して、過去に取得された黒画像撮影信号を用いた補正処理が施される。ここで、本画像撮影信号に含まれる固定パターンノイズ信号の周波数成分やレベルは、上述の如く、過去に取得された黒画像撮影信号と略同じである。従って、本画像撮影信号に対し過去に取得された黒画像撮影信号を用いた補正処理を施すことによって、本画像撮影信号から固定パターンノイズ信号を除去することが出来る。
本発明に係る第２のカメラにおいては、過去に黒画像取得動作が実行されてからの撮像装置の近傍温度の変化が小さい場合には、黒画像取得動作を省略することによって、一連の撮影処理に要する時間を従来よりも短縮することが出来る。
【００１６】
具体的には、前記画像処理回路は、
撮像装置の近傍温度を測定する温度測定手段と、
黒画像撮影信号及び温度を格納するための格納手段と、
外部からの指令を受けて、遮光状態で撮像装置から黒画像撮影信号を取得して前記格納手段に格納する黒画像取得動作を実行する黒画像処理手段と、
黒画像取得動作が実行されたとき、温度測定手段から測定温度を取得し、該温度を前記格納手段に格納する温度情報処理手段と、
ユーザによる撮影操作に応じて、撮像装置から本画像撮影信号を取得する撮影画像取得手段と、
本画像撮影信号が取得されたとき、前記温度測定手段から測定温度を取得した後、該温度が前記格納手段に格納されている温度を含む所定の範囲内であるか否かによって前記判断を行ない、黒画像取得動作を実行する必要があると判断した場合に限って、前記黒画像処理手段に対し黒画像取得動作を指令する制御手段と、
前記撮影画像取得手段によって取得された本画像撮影信号に対して、前記格納手段に格納されている黒画像撮影信号を用いた補正処理を施す補正処理手段
とを具えている。
【００１７】
上記具体的構成においては、黒画像取得動作が実行されたとき、温度情報処理手段によって、そのときの撮像装置近傍の温度が温度測定手段から取得されて格納手段に格納される。
ユーザにより撮影操作が行なわれると、先ず、撮影画像取得手段によって撮像装置から本画像撮影信号が取得され、続いて制御手段によって、温度測定手段から取得した温度が格納手段に格納されている温度、即ち過去に黒画像取得動作が実行されたときに測定された温度を含む所定の範囲内であるか否かにより黒画像取得動作を実行する必要があるか否かが判断される。ここで、黒画像取得動作を実行する必要があると判断された場合には、黒画像処理手段に対し動作が指令されて黒画像取得動作が実行され、新たな黒画像撮影信号が格納手段に格納されることになる。その後、補正処理手段によって、前記本画像撮影信号に対し前記新たな黒画像撮影信号を用いた補正処理が施される。
これに対し、黒画像取得動作を実行する必要がないと判断された場合には、黒画像処理手段に対し動作は指令されず、補正処理手段によって、前記本画像撮影信号に対し格納手段に格納されている黒画像撮影信号、即ち過去の黒画像取得動作によって取得された黒画像撮影信号を用いた補正処理が施される。
【００１８】
又、具体的には、前記画像処理回路の格納手段には、撮像装置のシャッター速度を格納することが可能であって、該画像処理回路は更に、黒画像取得動作が実行されたとき、撮像装置のシャッター速度を前記格納手段に格納するシャッター速度情報処理手段を具え、前記制御手段は、本画像撮影信号が取得されたとき、そのときの撮像装置のシャッター速度が前記格納手段に格納されているシャッター速度を含む所定の範囲内であるか否かによって前記判断を行なう。
【００１９】
固定パターンノイズ信号の周波数成分やレベルは、撮像装置のシャッター速度によって異なる。
そこで、上記具体的構成においては、黒画像取得動作が実行されたとき、そのときのシャッター速度が格納手段に格納される。そして、ユーザによる撮影操作に応じて本画像撮影信号が取得されたとき、そのときの撮像装置のシャッター速度が、格納手段に格納されているシャッター速度を含む所定の範囲内であるか否かによって、黒画像取得動作を実行する必要があるか否かが判断される。
【００２０】
【発明の効果】
本発明に係る第１のカメラによれば、過去に黒画像取得処理が実行されてからの経過時間が短い場合に、一連の撮影処理に要する時間を従来よりも短縮することが出来る。
又、本発明に係る第２のカメラによれば、過去に黒画像取得処理が実行されてからの撮像装置近傍の温度変化が小さい場合に、一連の撮影処理に要する時間を従来よりも短縮することが出来る。
【００２１】
【発明の実施の形態】
以下、本発明をデジタルカメラに実施した形態につき、２つの実施例に基づいて具体的に説明する。
第１実施例
本実施例のデジタルカメラは、図１に示す如く、撮像光学系（１）を構成するＣＣＤ（１０）と、ＡＳＩＣ（Ａｐｐｌｉｃａｔｉｏｎ  Ｓｐｅｃｉｆｉｃ  Ｉ．Ｃ．）（２）と、画像処理時に使用されるＳＤＲＡＭ（３）と、撮像光学系（１）によって撮影された画像を表示するためのＬＣＤ（４）と、撮像光学系（１）によって撮影された画像を記録するためのメモリカード（５）とを具えている。前記ＡＳＩＣ（２）には、ＣＰＵ（６）が接続されており、ＡＳＩＣ（２）の動作はＣＰＵ（６）によって制御されている。ＣＰＵ（６）には、シャッターボタン（７）が接続されている。
又、上記デジタルカメラは、機械式シャッター（８）と、該シャッター（８）を駆動するシャッタードライバ（８０）とを具えている。
【００２２】
ＡＳＩＣ（２）は、撮影データを一旦格納するためのＳＤＲＡＭ書込みバッファ（２１）と、Ａ／Ｄ変換処理や画像補正処理等の所定の信号処理を実行する信号処理回路（２２）と、画像圧縮処理を実行するＪＰＥＧ圧縮処理回路（２３）と、前記メモリカード（５）に対する画像データの書込み及び読出しを実行するカード制御回路（２４）と、前記シャッタードライバ（８０）に対する制御信号を作成して出力するシャッター制御回路（２５）とから構成されている。
【００２３】
本実施例のデジタルカメラは、ユーザによる撮影操作に応じて取得された本画像データに対し機械式シャッター（８）を閉じた状態で取得された黒画像データを用いた補正処理を施すものであって、本画像データが取得されたとき、前回の黒画像データ取得時からの経過時間が所定時間未満と短く、且つ、そのときのＣＣＤ（１０）のシャッター速度が前回の黒画像データ取得時のシャッター速度を中心とする所定の範囲内である場合には、前回の黒画像データを用いて本画像データの補正処理を行なうものである。黒画像データの取得時には、ＣＰＵ（６）によって、後述の如くタイムカウントが開始されると共にＣＣＤ（１０）のシャッター速度がＳＤＲＡＭ（３）に書き込まれる。
上記デジタルカメラにおいては、カメラ本体の電源が投入された後、初めてシャッターボタン（７）が押下されると、ＣＰＵ（６）はこれを検知して、ＡＳＩＣ（２）の信号処理回路（２２）に撮影信号取得指令を出力する。信号処理回路（２２）は、該指令を受けて、ＣＣＤ（１０）から撮影信号を取得し、取得した撮影信号をデジタルの撮影データに変換して、一旦ＳＤＲＡＭ書込みバッファ（２１）に格納した後、本画像データとしてＳＤＲＡＭ（３）に書き込む。
【００２４】
続いてＣＰＵ（６）は、タイムカウントが開始されており、タイムカウント値の表わす経過時間が所定時間未満であって、且つ、本画像データの取得時のＣＣＤ（１０）のシャッター速度が、ＳＤＲＡＭ（３）に書き込まれているシャッター速度を中心とする所定の範囲内であるか否かを判断する。ここで、ＣＰＵ（６）は、タイムカウントは開始されていないと判断して、ＡＳＩＣ（２）のシャッター制御回路（２５）にシャッター閉指令を出力する。シャッター制御回路（２５）は、該指令を受けて、機械式シャッター（８）を閉状態に設定するための制御信号を作成し、該制御信号をシャッタードライバ（８０）に出力する。この結果、機械式シャッター（８）が閉じられることになる。
その後、ＣＰＵ（６）は、ＡＳＩＣ（２）の信号処理回路（２２）に撮影信号取得指令を出力し、信号処理回路（２２）は該指令を受けて、ＣＣＤ（１０）から撮影信号を取得する。このとき、撮影信号に含まれる固定パターンノイズ信号の周波数成分やレベルはＣＣＤ（１０）のシャッター速度によって異なるため、ＣＣＤ（１０）のシャッター速度は、上述の本画像データ取得時と同じ速度に設定される。信号処理回路（２２）は、取得した撮影信号をデジタルの撮影データに変換して一旦ＳＤＲＡＭ書込みバッファ（２１）に格納した後、黒画像データとしてＳＤＲＡＭ（３）に書き込む。
次にＣＰＵ（６）は、ＣＣＤ（１０）のシャッター速度をＳＤＲＡＭ（３）に書き込むと共に、タイムカウントを開始する。
【００２５】
続いてＣＰＵ（６）は、ＡＳＩＣ（２）の信号処理回路（２２）に補正処理実行指令を出力し、信号処理回路（２２）は、該指令を受けて、ＳＤＲＡＭ（３）から本画像データ及び黒画像データを読み出した後、本画像データから黒画像データを減算する画像補正処理を実行し、補正後の本画像データをＳＤＲＡＭ（３）に書き込む。尚、画像補正処理は従来の画像補正処理と同一であるので、具体的な説明は省略する。
次に、信号処理回路（２２）は、ＳＤＲＡＭ（３）から補正後の本画像データを読み出した後、該本画像データに対してＬＣＤ（４）に表示するために必要な所定のデータ処理を施し、これによって得られる画像データを、フリーズ画像データとしてＳＤＲＡＭ（３）に書き込む。この様にしてＳＤＲＡＭ（３）に書き込まれたフリーズ画像データはＬＣＤ（４）に供給される。この結果、シャッターボタン（７）の押下に応じて撮影された本画像（静止画）がＬＣＤ（４）に表示されることになる。
【００２６】
又、信号処理回路（２２）は、補正後の本画像データに対して、メモリカード（５）に記録するために必要な所定のデータ処理を施し、これによって得られる画像データを、ＹＵＶ画像データとしてＳＤＲＡＭ（３）に書き込む。
ＳＤＲＡＭ（３）に書き込まれたＹＵＶ画像データは、ＪＰＥＧ圧縮処理回路（２３）によって読み出されてＪＰＥＧ方式による圧縮処理が施され、これによって得られる圧縮画像データは、一旦ＳＤＲＡＭ（３）に書き込まれた後、カード制御回路（２４）によって読み出され、該回路（２４）によってメモリカード（５）に記録される。
【００２７】
その後、シャッターボタン（７）に対して第２回目以降の押下操作が行なわれると、ＣＰＵ（６）は、シャッターボタン（７）が初めて押下されたときと同様に、先ずＡＳＩＣ（２）の信号処理回路（２２）に撮影信号取得指令を出力する。信号処理回路（２２）は、該指令を受けてＣＣＤ（１０）から撮影信号を取得し、取得した撮影信号をデジタルの撮影データに変換して、一旦ＳＤＲＡＭ書込みバッファ（２１）に格納した後、本画像データとしてＳＤＲＡＭ（３）に書き込む。
【００２８】
次にＣＰＵ（６）は、タイムカウントが開始されており、タイムカウント値の表わす経過時間が所定時間未満であって、且つ、本画像データの取得時のＣＣＤ（１０）のシャッター速度が、ＳＤＲＡＭ（３）に書き込まれているシャッター速度を中心とする所定の範囲内であるか否かを判断する。
経過時間が所定時間以上である場合、及び本画像データ取得時のシャッター速度が所定の範囲を逸脱する場合には、初めてシャッターボタン（７）が押下されたときと同様に、シャッター制御回路（２５）にシャッター閉指令を出力すると共に、ＡＳＩＣ（２）の信号処理回路（２２）に撮影信号取得指令を出力する。この結果、機械式シャッター（８）が閉じられた後、黒画像取得動作が実行されて、新たな黒画像データがＳＤＲＡＭ（３）に格納される。
続いてＣＰＵ（６）は、ＣＣＤ（１０）のシャッター速度をＳＤＲＡＭ（３）に書き込むと共に、タイムカウント値をリセットしてタイムカウントを再開する。
その後、ＣＰＵ（６）はＡＳＩＣ（２）の信号処理回路（２２）に補正処理実行指令を出力し、信号処理回路（２２）は、該指令を受けて、ＳＤＲＡＭ（３）から本画像データ及び新たな黒画像データを読み出した後、本画像データに対して新たな黒画像データを用いた画像補正処理を施す。補正後の本画像データは、信号処理回路（２２）及びＪＰＥＧ圧縮処理回路（２３）によって所定のデータ処理が施された後、カード制御回路（２４）によってメモリカード（５）に記録される。
【００２９】
これに対し、経過時間が所定時間未満であって、且つ、本画像データ取得時のシャッター速度が前記所定の範囲内である場合には、ＣＰＵ（６）はＡＳＩＣ（２）の信号処理回路（２２）に補正処理実行指令を出力し、信号処理回路（２２）は、該指令を受けて、ＳＤＲＡＭ（３）から本画像データ及び前回の黒画像データ取得動作によって取得した黒画像データを読み出した後、本画像データに対して前回の黒画像データを用いた画像補正処理を施す。ここで、前回の黒画像データ取得時からの経過時間が例えば５分と短い場合にはＣＣＤ（１０）の近傍温度の変化は小さいため、本画像撮影信号に含まれている固定パターンノイズ信号の周波数成分やレベルは、前回の黒画像データ取得動作によって取得された黒画像撮影信号と略同じである。従って、本画像データに対して前回の黒画像データを用いた画像補正処理を施すことによって、本画像データから固定パターンノイズデータを除去することが出来る。この様にして補正の施された本画像データは、信号処理回路（２２）及びＪＰＥＧ圧縮処理回路（２３）によって所定のデータ処理が施された後、カード制御回路（２４）によってメモリカード（５）に記録される。
【００３０】
図２は、上記ＡＳＩＣ（２）及びＣＰＵ（６）によって実行される手続きを表わしている。
先ずステップＳ１にて、ＣＣＤ（１０）によって撮影された画像（スルー画）をリアルタイムでＬＣＤ（４）に表示するための処理を実行し、ステップＳ２では、シャッターボタン（７）が半分押下された半押し状態であるか否かを判断し、ノーと判断された場合はステップＳ１に戻る一方、イエスと判断された場合には、ステップＳ３に移行して、ＡＥ（Ａｕｔｏ  Ｅｘｐｏｓｕｒｅ）処理及びＡＦ（Ａｕｔｏ  Ｆｏｃｕｓ）処理を実行する。
【００３１】
続いてステップＳ４では、シャッターボタン（７）が押下状態から解放されたか否かを判断し、イエスと判断された場合にはステップＳ１に戻る一方、ノーと判断された場合にはステップＳ５に移行して、シャッターボタン（７）が半押し状態から更に押下されて全押し状態となったか否かを判断し、ノーと判断された場合はステップＳ４に戻る。
これに対し、シャッターボタン（７）が全押し状態となってステップＳ５にてイエスと判断された場合には、ステップＳ６に移行して、本画像データの取得処理を実行した後、ステップＳ７では、タイムカウントが開始されており、タイムカウント値の表わす経過時間ｔが所定時間、例えば５分未満であって、且つ、前記ステップＳ６にて本画像を取得したときのＣＣＤ（１０）のシャッター速度ＶｎｏｗがＳＤＲＡＭに書き込まれているシャッター速度Ｖｏｌｄを中心とする所定の範囲内、例えば該シャッター速度Ｖｏｌｄの０．９倍から１．１倍の範囲内であるか否かを判断する。
【００３２】
ステップＳ７にてノーと判断された場合には、ステップＳ８に移行して、ＣＣＤ（１０）のシャッター速度を前記ステップＳ６にて本画像を取得したときのシャッター速度Ｖｎｏｗと同じ値に設定して黒画像データの取得処理を実行する。続いてステップＳ９では、タイムカウント値をリセットしてタイムカウントを再開すると共に、ステップＳ８にて黒画像データを取得したときのシャッター速度を前回のシャッター速度ＶｏｌｄとしてＳＤＲＡＭに書き込んだ後、ステップＳ１０に移行する。
これに対し、ステップＳ７にてイエスと判断された場合には、ステップＳ８及びステップＳ９を迂回して、ステップＳ１０に移行する。
【００３３】
ステップＳ１０では、前記ステップＳ６にて取得された本画像データに対し、黒画像データを用いた補正処理を施す。ここで、上述の如くステップＳ７にてノーと判断された場合には、ステップＳ８にて新たに取得された黒画像データが用いられる一方、ステップＳ７にてイエスと判断された場合には、過去にステップＳ８にて取得された黒画像データが用いられる。
続いてステップＳ１１では、補正後の本画像データに所定の信号処理を施して得られるフリーズ画像データをＬＣＤ（４）に出力した後、ステップＳ１２にてＪＰＥＧ方式による圧縮処理を実行し、最後にステップＳ１３にて、圧縮画像データをメモリカード（５）に記録して、ステップＳ１に戻る。この様にして、ユーザによるシャッターボタン（７）の押下に応じて、一連の撮影処理が実行される。
【００３４】
本実施例のデジタルカメラにおいては、前回の黒画像データ取得時からの経過時間が所定時間未満と短く、且つ、本画像データ取得時のＣＣＤ（１０）のシャッター速度が前回の黒画像データ取得時のシャッター速度を中心とする所定の範囲内である場合には、黒画像データ取得処理が省略され、前回の黒画像データを用いて本画像データの補正処理が実行される。従って、かかる場合には、一連の撮影処理に要する時間を従来のデジタルカメラに比べて短縮することが出来る。
【００３５】
第２実施例
本実施例のデジタルカメラは、本画像データが取得されたとき、そのときのＣＣＤ（１０）の近傍温度と前回の黒画像データ取得時のＣＣＤ（１０）の近傍温度との差が所定の範囲内と小さく、且つ、そのときのＣＣＤ（１０）のシャッター速度が前回の黒画像データ取得時のシャッター速度を中心とする所定の範囲内である場合には、前回の黒画像データを用いて本画像データの補正処理を行なうものである。
図３は、本実施例のデジタルカメラの構成を表わしており、ＣＰＵ（６０）には、ＣＣＤ（１０）の近傍温度を測定するための温度センサ（９）が接続されている。黒画像データの取得時には、ＣＰＵ（６０）によって、温度センサ（９）から取得された測定温度がＳＤＲＡＭ（３）に書き込まれる。
【００３６】
図４は、上記ＡＳＩＣ（２）及びＣＰＵ（６０）によって実行される手続きを表わしている。
先ずステップＳ２１にて、ＣＣＤ（１０）によって撮影された画像（スルー画）をリアルタイムでＬＣＤ（４）に表示するための処理を実行し、ステップＳ２２では、シャッターボタン（７）が半押し状態であるか否かを判断し、ノーと判断された場合はステップＳ２１に戻る一方、イエスと判断された場合には、ステップＳ２３に移行して、ＡＥ処理及びＡＦ処理を実行する。
【００３７】
続いてステップＳ２４では、シャッターボタン（７）が押下状態から解放されたか否かを判断し、イエスと判断された場合にはステップＳ２１に戻る一方、ノーと判断された場合にはステップＳ２５に移行して、シャッターボタン（７）が全押し状態となったか否かを判断し、ノーと判断された場合はステップＳ２４に戻る。
これに対し、シャッターボタン（７）が全押し状態となってステップＳ２５にてイエスと判断された場合には、ステップＳ２６に移行して、本画像データの取得処理を実行した後、ステップＳ２７では、ＳＤＲＡＭ（３）に温度Ｔｏｌｄが書き込まれており、温度センサ（９）から取得した温度Ｔｎｏｗと前記温度Ｔｏｌｄとの差が所定の範囲内、例えば−３度から＋３度の範囲内であって、且つ、前記ステップＳ２６にて本画像データを取得したときのＣＣＤ（１０）のシャッター速度ＶｎｏｗがＳＤＲＡＭに書き込まれているシャッター速度Ｖｏｌｄを中心とする所定の範囲内、例えば該シャッター速度Ｖｏｌｄの０．９倍から１．１倍の範囲内であるか否かを判断する。
【００３８】
ステップＳ２７にてノーと判断された場合には、ステップＳ２８に移行して、ＣＣＤ（１０）のシャッター速度を前記ステップＳ２６にて本画像データを取得したときのシャッター速度Ｖｎｏｗと同じ値に設定して黒画像データの取得処理を実行する。続いてステップＳ２９では、温度センサ（９）から測定温度を取得し、該温度を前回の温度ＴｏｌｄとしてＳＤＲＡＭ（３）に書き込むと共に、ステップＳ２８にて黒画像データを取得したときのシャッター速度を前回のシャッター速度ＶｏｌｄとしてＳＤＲＡＭに書き込んだ後、ステップＳ３０に移行する。
これに対し、ステップＳ２７にてイエスと判断された場合には、ステップＳ２８及びステップＳ２９を迂回して、ステップＳ３０に移行する。
【００３９】
ステップＳ３０では、前記ステップＳ２６にて取得された本画像データに対し、黒画像データを用いた補正処理を施す。ここで、上述の如くステップＳ２７にてノーと判断された場合には、ステップＳ２８にて新たに取得された黒画像データが用いられる一方、ステップＳ２７にてイエスと判断された場合には、過去にステップＳ２８にて取得された黒画像データが用いられる。
続いてステップＳ３１では、補正後の本画像データに所定の信号処理を施して得られるフリーズ画像データをＬＣＤ（４）に出力した後、ステップＳ３２にてＪＰＥＧ方式による圧縮処理を実行し、最後にステップＳ３３にて、圧縮画像データをメモリカード（５）に記録して、ステップＳ２１に戻る。この様にして、ユーザによるシャッターボタン（７）の押下に応じて、一連の撮影処理が実行される。
【００４０】
本実施例のデジタルカメラにおいては、本画像データ取得時のＣＣＤ（１０）の近傍温度と前回の黒画像データ取得時のＣＣＤ（１０）の近傍温度との差が所定の範囲内と小さく、且つ、本画像データ取得時のＣＣＤ（１０）のシャッター速度が前回の黒画像データ取得時のシャッター速度を中心とする所定の範囲内である場合には、黒画像データ取得処理が省略され、前回の黒画像データを用いて本画像データの補正処理が実行される。従って、かかる場合には、一連の撮影処理に要する時間を従来のデジタルカメラに比べて短縮することが出来る。
【００４１】
尚、本発明の各部構成は上記実施の形態に限らず、特許請求の範囲に記載の技術的範囲内で種々の変形が可能である。
例えば、黒画像データが取得される度に、取得された黒画像データをＣＣＤ（１０）の近傍温度毎にＳＤＲＡＭ（３）に書き込んでいき、本画像データの取得時には、そのときのＣＣＤ（１０）の近傍温度についての黒画像データがＳＤＲＡＭ（３）に書き込まれている場合に該黒画像データを用いて補正処理を実行する一方、書き込まれていない場合には黒画像データ取得動作を実行する構成を採用することも可能である。
【図面の簡単な説明】
【図１】第１実施例のデジタルカメラの構成を表わすブロック図である。
【図２】上記デジタルカメラのＡＳＩＣ及びＣＰＵによって実行される手続きを表わすフローチャートである。
【図３】第２実施例のデジタルカメラの構成を表わすブロック図である。
【図４】上記デジタルカメラのＡＳＩＣ及びＣＰＵによって実行される手続きを表わすフローチャートである。
【符号の説明】
（１）  撮像光学系
（２）  ＣＣＤ
（３）  ＳＤＲＡＭ
（４）  ＬＣＤ
（５）  メモリカード
（６）  ＣＰＵ
（７）  シャッターボタン
（８）  機械式シャッター
【図１】
2005020593.tif 000003
【図２】
2005020593.tif 000004
【図３】
2005020593.tif 000005
【図４】
2005020593.tif 000006